(57)【要約】【課題】使用者の不注意で身体の一部が負傷を負う惨事を未然に防止できるようにするジュース絞り器用搾汁モジュールの安全装置を提供する。【解決手段】上下方向に形成された両端が貫通する投入部１００と、投入部の下端部の縁部外側に回転可能に結合され、駆動モーター４００の端部に備えられた金属材の第１の軸４０１から駆動力を受けて回転する金属材の第２の軸５０２と、投入部の内周面に形成されるセンサーを含む感知部２００と、第２の軸の下部側に備えられ、感知部と第２の軸を介して電気的に接続され、感知部で使用者の身体の接触を感知すると、駆動モーターの回転を停止させるコントローラー３００とを含み、投入部の中心線と第２の軸の中心線はそれぞれ別個の直線上に配置されるジュース絞り器用搾汁モジュールの安全装置を構成する。【選択図】図１
2015128564.tif 000002
【特許請求の範囲】
【請求項１】
上下方向に形成された両端が貫通する投入部と、
前記投入部の下端部の縁部外側に回転可能に結合され、駆動モーターの端部に備えられた金属材の第１の軸から駆動力を受けて回転する金属材の第２の軸と、
前記投入部の内周面に形成されるセンサーを含む感知部と、
前記第２の軸の下側に備えられ、前記感知部と前記第２の軸を介して電気的に接続され、前記感知部で使用者の身体の接触を感知すると、前記駆動モーターの回転を停止させるコントローラーとを含み、
前記投入部の中心線と前記第２の軸の中心線はそれぞれ別個の直線上に配置されるジュース絞り器用搾汁モジュールの安全装置。
【請求項２】
前記センサーは定電圧感知センサーである、請求項１に記載のジュース絞り器用搾汁モジュールの安全装置。
【請求項３】
前記第１の軸の上端部と前記第２の軸の下端部との間には、前記第１の軸から前記第２の軸の下端部側に駆動力を伝達する絶縁体のギアアセンブリーが備えられる、請求項１に記載のジュース絞り器用搾汁モジュールの安全装置。
【請求項４】
前記ギアアセンブリーは、第１の軸の端部に形成された第１のギア歯と噛み合って回転する合成樹脂からなる駆動伝達ギアと、前記駆動伝達ギアと噛み合って回転する第２のギア歯が下端部に備えられ、前記第２の軸と一直線上に配置され、上端部が前記第２の軸の下端部に嵌合される駆動伝達軸と、を含む、請求項３に記載のジュース絞り器用搾汁モジュールの安全装置。
【請求項５】
前記ギアアセンブリーは、前記第１の軸の上端部と前記第２の軸の下端部との間に配置される絶縁材からなる絶縁板をさらに含む、請求項４に記載のジュース絞り器用搾汁モジュールの安全装置。
【請求項６】
前記合成樹脂は、ポリアセタール、ポリカーボネート、ＡＢＳ樹脂、ポリプロピレン、ポリエステルのうちの１つまたは少なくとも１つ以上の混合物である、請求項４に記載のジュース絞り器用搾汁モジュールの安全装置。
【請求項７】
前記感知部は、前記投入部の内周面に沿って装着されるリング状のセンサー本体である、請求項１に記載のジュース絞り器用搾汁モジュールの安全装置。
【請求項８】
前記コントローラーは、前記感知部と電気的に接続されるセンサー感知回路を含むセンサーＰＣＢと、前記センサーＰＣＢと電気的に接続され、前記感知部の感度を調節可能なコンデンサーと、前記センサーＰＣＢ及び前記コンデンサーと電気的に接続され、外部からの電力を供給または遮断し、前記駆動モーターを稼動または停止させるオンオフ制御器と、を含む、請求項１に記載のジュース絞り器用搾汁モジュールの安全装置。
【請求項９】
前記センサーＰＣＢは、前記感知部で使用者の身体の接触を感知すると、前記駆動モーターの稼動を停止させるスイッチング回路をさらに含む、請求項８に記載のジュース絞り器用搾汁モジュールの安全装置。
【発明の詳細な説明】
【技術分野】
【０００１】
本発明は、ジュース絞り器用搾汁モジュールの安全装置に関し、より詳細には、使用者の不注意で身体の一部が負傷を負う惨事を未然に防止できるようにするジュース絞り器用搾汁モジュールの安全装置に関する。
【背景技術】
【０００２】
健康な生活のために家庭で緑汁やジュースを直接作って飲む機会が増加しており、このために、家庭で簡便に野菜や果物の汁を出せるようにする装置が多く開示されている。
【０００３】
前記のような観点で出願された特許文献１の「緑汁器の安全装置」（以下、「先行技術」という）においては、人体感知手段１０をなすゴム材質の環体１１、切欠溝１２、切片１３、及びこのような環体１１に導体性塗料１４が塗布された構成を含んでいる。
【０００４】
しかし、このような先行技術では、センサーの感度低下により、使用者の身体の一部が切片１３を通過した場合にも作動しないだけでなく、複数の切欠溝１２によって切片１３が環体１１の円周方向に沿って放射状に形成された構造的な特性上、身体の一部が挿入されると却って抜けにくくなり、より大きな負傷をもたらすおそれがあった。
【０００５】
したがって、前記のように、使用者の不注意によって発生し得る事故の可能性を未然に遮断できる装置の開発が切実な実情である。
【先行技術文献】
【特許文献】
【０００６】
【特許文献１】大韓民国実用新案出願第２０−１９９４−００１９８１７号
【発明の概要】
【発明が解決しようとする課題】
【０００７】
本発明は、前記のような問題を改善するためになされたものであって、使用者の不注意で身体の一部が負傷を負う惨事を未然に防止できるようにするジュース絞り器用搾汁モジュールの安全装置を提供するためのものである。
【課題を解決するための手段】
【０００８】
前記のような目的を達成するために、本発明は、上下方向に形成された両端が貫通する投入部と、前記投入部の下端部の縁部外側に回転可能に結合され、駆動モーターの端部に備えられた金属材の第１の軸から駆動力を受けて回転する金属材の第２の軸と、前記投入部の内周面に形成されるセンサーを含む感知部と、前記第２の軸の下部側に備えられ、前記感知部と前記第２の軸を介して電気的に接続され、前記感知部で使用者の身体の接触を感知すると、前記駆動モーターの回転を停止させるコントローラーとを含み、前記投入部の中心線と前記第２の軸の中心線はそれぞれ別個の直線上に配置されるジュース絞り器用搾汁モジュールの安全装置を提供することができる。
【０００９】
本発明において、前記センサーは、定電圧感知センサーであることが好ましい。
【００１０】
本発明において、前記第１の軸の上端部と前記第２の軸の下端部との間には、前記第１の軸から前記第２の軸の下端部側に駆動力を伝達する絶縁体であるギアアセンブリーが備えられることが好ましい。
【００１１】
本発明において、前記ギアアセンブリーは、第１の軸の端部に形成された第１のギア歯と噛み合って回転する合成樹脂からなる駆動伝達ギアと、前記駆動伝達ギアと噛み合って回転する第２のギア歯が下端部に備えられ、前記第２の軸と一直線上に配置され、上端部が前記第２の軸の下端部に嵌合される駆動伝達軸とを含む実施例の適用が可能である。
【００１２】
本発明において、前記ギアアセンブリーは、前記第１の軸の上端部と前記第２の軸の下端部との間に配置される絶縁材からなる絶縁板をさらに含む実施例の適用も可能である。
【００１３】
本発明において、前記合成樹脂は、ポリアセタール、ポリカーボネート、ＡＢＳ樹脂、ポリプロピレン、ポリエステルのうちの１つまたは少なくとも１つ以上の混合物であってもよい。
【００１４】
本発明において、前記感知部は、前記投入部の内周面に沿って装着されるリング状のセンサー本体であってもよい。
【００１５】
本発明において、前記コントローラーは、前記感知部と電気的に接続されるセンサー感知回路を含むセンサーＰＣＢと、前記センサーＰＣＢと電気的に接続され、前記感知部の感度を調節可能なコンデンサーと、前記センサーＰＣＢ及び前記コンデンサーと電気的に接続され、外部からの電源を供給または遮断したり、前記駆動モーターを稼動または停止させるオンオフ制御器とを含む実施例を適用することができる。
【００１６】
本発明において、前記センサーＰＣＢは、前記感知部で使用者の身体の接触を感知すると、前記駆動モーターの稼動を停止させるスイッチング回路をさらに含むことが好ましい。
【発明の効果】
【００１７】
前記のような構成の本発明によれば、投入部の内周面に感知部を置いて、コントローラーが感知部の身体接触信号を伝達して駆動モーターの回転を直ぐ停止させることによって、使用者の不注意で身体の一部が負傷を負う惨事を未然に防止できるようになる。
【００１８】
特に、本発明によれば、感知部の感知経路、すなわち、電気的な接続状態が外部に全く露出せず、装置の内部を通じて形成されるので、追加的な構成部品の個数を減少させ、製品のきれいな外観を維持し、信頼度の高い製品を需要者等に提供できるようになる。
【図面の簡単な説明】
【００１９】
【図１】本発明の一実施例に係るジュース絞り器用搾汁モジュールの安全装置を示した断面概念図である。
【図２】本発明の一実施例に係るジュース絞り器用搾汁モジュールの安全装置のうち主要部であるコントローラーと感知部及び駆動モーターとの電気的接続状態を示したブロック図である。
【図３】本発明の一実施例に係るジュース絞り器用搾汁モジュールの安全装置のうち主要部であるコントローラーのコンデンサーの電気的接続状態を示した回路概念図である。
【発明を実施するための形態】
【００２０】
本発明の利点及び特徴、そして、それらを達成する方法は、添付の図面と共に詳細に説明している実施例を参照すれば明確になるだろう。
【００２１】
しかし、本発明は、ここで説明する実施例に限定されず、他の形態に具体化することもできる。むしろ、ここで紹介する実施例は、開示された内容を徹底的且つ完全にするために、そして、当業者に本発明の思想を十分に伝達するために提供されるものである。
【００２２】
各図面において、層及び各領域の厚さは、明確性のために誇張されたものである。
【００２３】
上端、下端、上面、下面、または上部、下部などの用語は、構成要素において相対的な位置を区別するために使用されるものである。
【００２４】
例えば、便宜上、図面上の上側を上部、図面上の下側を下部と命名する場合、実際には、本発明の権利範囲を逸脱しない限り、上部を下部と命名してもよく、下部を上部と命名してもよい。
【００２５】
本出願で使用した用語は、単に特定の実施例を説明するために使用されたものであって、本発明を限定するためのものではない。
【００２６】
単数の表現は、文脈上、明白に異なる意味でない限り、複数の表現を含む。
【００２７】
本出願において、"含む"または"有する"などの用語は、明細書上に記載された特徴、数字、段階、動作、構成要素、部品またはこれらを組み合わせたものが存在することを指定するためのものであって、１つまたはそれ以上の他の特徴、数字、段階、動作、構成要素、部品またはこれらを組み合わせたものの存在または付加可能性を予め排除しないことを理解しなければならない。
【００２８】
異なる形に定義されない限り、技術的または科学的な用語を含めて、ここで使用される全ての用語は、本発明の属する技術分野で通常の知識を有する者によって一般的に理解されるものと同一の意味を有する。
【００２９】
一般的に使用される辞典に定義されている各用語は、関連技術の文脈上の意味と一致する意味を有するものと解釈しなければならなく、本出願において明白に定義しない限り、理想的または過度に形式的な意味に解釈してはならない。
【００３０】
以下、添付の図面を参照して本発明の好ましい実施例をより詳細に説明する。図１は、本発明の一実施例に係るジュース絞り器用搾汁モジュールの安全装置を示した断面概念図で、図２は、本発明の一実施例に係るジュース絞り器用搾汁モジュールの安全装置のうち主要部であるコントローラーと感知部及び駆動モーターとの電気的接続状態を示したブロック図で、図３は、本発明の一実施例に係るジュース絞り器用搾汁モジュールの安全装置のうち主要部であるコントローラーのコンデンサーの電気的接続状態を示した回路概念図である。
【００３１】
本発明は、図示したように、投入部１００、感知部２００、コントローラー３００及び第２の軸５０２を含む構造であることを把握することができる。
【００３２】
投入部１００は、上下方向に形成された両端が貫通する部材であって、食材料を先加工する、すなわち、切り刻む必要なく、そのまま投入しても構わない程度のサイズと直径を有するものである。
【００３３】
投入部１００は、搾汁の便宜を使用者に提供するための技術的手段であると言える。
【００３４】
金属材で構成される第２の軸５０２は、投入部１００の下端部の縁部外側に回転可能に結合され、駆動モーター４００の端部に備えられた金属材で構成される第１の軸４０１から駆動力を受けて回転するものであって、後述するスクリュー５００が上下方向に形成されるものである。
【００３５】
感知部２００は、投入部１００の内周面に形成されるセンサーを含むものであって、使用者の不注意で身体が投入部１００に入ることを実時間で感知するものである。
【００３６】
コントローラー３００は、第２の軸５０２の下部側に備えられ、感知部２００と第２の軸５０２を介して電気的に接続され、感知部２００で使用者の身体の接触を感知すると、駆動モーター４００の回転を停止させるものである。
【００３７】
ここで、コントローラー３００は、感知部２００で、使用者の身体のみならず、使用者の身体と接触したり使用者が把持している導電性の物質、例えば、破砕される食材料と関係のないスプーン、ナイフ、箸、フォークなどの物質の接触を感知しても、駆動モーター４００の回転を停止させる。
【００３８】
このとき、投入部１００の中心線と第２の軸５０２の中心線は、図示したように、互いに平行であるか、特別に図示してはいないが、それぞれ別個の直線上に配置されてもよい。
【００３９】
すなわち、投入部１００の中心線が第２の軸５０２の中心線に対して傾斜するように配置され、すなわち、投入部１００が後述する容器８００の上面に対して傾斜するように配置されてもよく、このような投入部１００の内周面に感知部２００が形成されてもよいことは当然である。
【００４０】
したがって、本発明は、感知部２００が実時間で使用者の身体の一部が投入部１００の内側に入り込むかどうかを監視しながら、非常状況が発生すると、直ぐコントローラー３００に感知信号を伝達し、その後、コントローラー３００は、駆動モーター４００を直ぐ停止させることによって事故発生を未然に防止できるようになる。
【００４１】
本発明は、前記のような実施例の適用が可能であり、次のような多様な実施例の適用も可能であることは当然である。
【００４２】
上述した感知部２００のセンサーは、定電圧感知センサーであってもよく、定電圧の発生によるオンオフ制御を可能にするものであって、その感知の敏感度は、後述するコントローラー３００のコンデンサー３２０によって制御され得る。
【００４３】
第１の軸４０１の上端部と第２の軸５０２の下端部との間には、第１の軸４０１から第２の軸５０２の下端部側に駆動力を伝達する絶縁体で構成されるギアアセンブリー６００が備えられ、大きく分けて、ギアアセンブリー６００が駆動伝達ギア６１０及び駆動伝達軸６２０を含む構造の実施例を適用することができる。
【００４４】
駆動伝達ギア６１０は、第１の軸４０１の端部に形成された第１のギア歯４１１と噛み合って回転する合成樹脂からなるものであって、第１の軸４０１と第２の軸５０２の相互間の電気的絶縁のためのものである。
【００４５】
ここで、第１の軸４０１の上端部と第２の軸５０２の下端部、すなわち、第２の軸５０２の下端部が結合される駆動伝達軸６２０の下端部には、図１に示したように、駆動伝達ギア６１０を含むギアアセンブリー６００が駆動モーター４００と互いに絶縁されるように合成樹脂などの絶縁材からなる絶縁板ｉを配置することが好ましい。
【００４６】
このとき、駆動伝達軸６２０は、より具体的に見ると、駆動伝達ギア６１０と噛み合って回転する第２のギア歯６２２が下端部に備えられ、第２の軸５０２と一直線上に配置され、上端部が第２の軸５０２の下端部に嵌合される。
【００４７】
ここで、駆動伝達ギア６１０を構成する合成樹脂は、ポリアセタール、ポリカーボネート、ＡＢＳ樹脂、ポリプロピレン、ポリエステルのうちの１つ（これらのうちから選択される１つ）または少なくとも１つ以上の混合物（２つ以上の混合物）であってもよい。
【００４８】
このとき、駆動伝達ギア６１０は、全体的に合成樹脂材からなってもよいことは当然で、金属材のギア本体の外面を合成樹脂材でコーティングする方式などで電気的絶縁を行ってもよい。
【００４９】
感知部２００は、使用者の身体の一部が少しでも投入部１００の内周面に接触したと判断すると、直ぐ感知信号をコントローラー３００に伝達できるように投入部１００の内周面に沿って装着されるリング状のセンサー本体であることが好ましい。
【００５０】
このようなセンサー本体は、上述したように、一種の定電圧感知センサーであって、人の身体などの導電性物質が接触すると反応するタッチセンサーであると言え、電圧レベル（通常、０Ｖ〜５．５Ｖの範囲）に応じてオンオフ制御動作を行う信号をコントローラー３００に伝達するものである。
【００５１】
一方、コントローラー３００は、感知部２００と連係して駆動モーター４００の稼動を停止させるものであって、図１〜図３に示すように、センサーＰＣＢ３１０、コンデンサー３２０及びオンオフ制御器３３０を含む構造の実施例を適用することができる。
【００５２】
センサーＰＣＢ３１０は、感知部２００と電気的に接続されるセンサー感知回路３１１を含む。
【００５３】
コンデンサー３２０は、センサーＰＣＢ３１０と電気的に接続され、感知部２００の感度を調節可能なものであって、一種の静電容量キャパシタと言える。
【００５４】
オンオフ制御器３３０は、上述したセンサー感知回路３１１などを含むセンサーＰＣＢ３１０の各種回路の外部に装着され、センサーＰＣＢ３１０及びコンデンサー３２０と電気的に接続され、外部電源（Ｖ）からの電力を供給または遮断し、駆動モーター４００を稼動または停止させるものである。
【００５５】
センサーＰＣＢ３１０は、感知部２００で使用者の身体の接触を感知すると、駆動モーター４００の稼動を停止させるスイッチング回路３１２をさらに含むように構成してもよい。
【００５６】
すなわち、スイッチング回路３１２は、普段は外部の電源（Ｖ）からオンオフ制御器３３０と駆動モーター４００との電気的な接続を維持し、感知部２００が非常状況であることを感知する信号をセンサー感知回路３１１に伝達すると、直ぐにオンオフ制御器３３０と駆動モーター４００との電気的な接続を遮断することによって、駆動モーター４００の稼動を中止させる。
【００５７】
このような駆動モーター４００の稼動中止が迅速且つ敏感に行われるように、図３に示すように、コンデンサー３２０は、センサーＰＣＢ３１０全般の回路動作を担当する駆動ＩＣ３４０と電気的に接続され、センサーＰＣＢ３１０を電気的衝撃から保護するための抵抗器３５０をさらに構成してもよい。
【００５８】
一方、本発明は、駆動モーター４００が内蔵される本体７００と、第２の軸５０２を内蔵し、上部側に行くほど徐々に狭くなるように形成され、外面に沿って螺旋状の破砕刃５１０が形成されたスクリュー５００と、本体７００に載せられ、スクリュー５００が内蔵される容器８００とをさらに含む構造の実施例を適用することができる。
【００５９】
ここで、投入部１００は、容器８００の上側に配置される。
【００６０】
このとき、投入部１００は、投入された材料の円滑な案内及び破砕を可能にするために、材料案内面９１０及び破砕加工面９２０を含むカバー９００の上側に配置されてもよい。
【００６１】
すなわち、材料案内面９１０は、投入部１００の下端部の縁部から下部側に行くほど傾斜しながら投入部１００の下端部の縁部から外側に偏って延長されるものであって、投入部１００から供給される食材料が移動して案内される経路を形成する。
【００６２】
破砕加工面９２０は、材料案内面９１０から螺旋状に延長され、投入部１００の下端部の縁部外側において上端部が前記第２の軸５０２と結合されて回転するスクリュー５００の破砕刃５１０の外面と徐々に近くなるように形成される。
【００６３】
したがって、カバー９００は、駆動モーター４００が内蔵される本体７００に載せられ、第２の軸５０２が内蔵されたスクリュー５００を内蔵する容器８００の上部側に着脱可能に連結されてもよい。
【００６４】
以上説明したように、本発明は、使用者の不注意で身体の一部が負傷を負う惨事を未然に防止できるようにするジュース絞り器用搾汁モジュールの安全装置を提供することを基本的な技術的思想としていることが分かる。
【００６５】
そして、本発明の基本的な技術的思想の範疇内で当該業界で通常の知識を有する者にとって、他の多くの変形及び応用が可能であることは当然である。
【符号の説明】
【００６６】
１００：投入部、２００：感知部、３００：コントローラー、３１０：センサーＰＣＢ、３１１：センサー感知回路、３１２：スイッチング回路、３２０：コンデンサー、３３０：オンオフ制御器、３４０：駆動ＩＣ、３５０：抵抗器、４００：駆動モーター、４０１：第１の軸、４１１：第１のギア歯、５００：スクリュー、５０２：第２の軸、６００：ギアアセンブリー、６１０：駆動伝達ギア、６２０：駆動伝達軸、６２２：第２のギア歯、７００：本体、８００：容器、９００：カバー、９１０：材料案内面、９２０：破砕加工面、ｉ：絶縁板、Ｖ：外部電源
【図１】
2015128564.tif 000003
【図２】
2015128564.tif 000004
【図３】
2015128564.tif 000005